(57)【特許請求の範囲】
【請求項１】
凸条を有する凸側テープと、この凸側テープに対向する構成材料内側に前記凸条を嵌め込むことのできる凹条を有する凹側テープとで構成されるファスナーを具備し、かつ、前記凸側テープの上側縁部の位置と前記凹側テープの上側端部が異なる位置に設けられたシート状構成材料の周囲を互いに固定してその内部を内容物収納部とすると共に、この内容物収納部に内容物を密閉して構成された包装体であって、前記ファスナーより上部に、互いに対面する一対のシート状構成材料の双方を切り取って開口させる引き裂き開始位置を設けると共に、前記一対のシート状構成材料の一方の前記凸側テープの上側縁部の位置と、他方のシート状構成材料の前記凹側テープの上側端部の位置にそれぞれ切取り予定部を設け、かつ、前記引き裂き開始位置から前記凸側テープ及び凹側テープの上側端部に向かって方向性を持つように傾斜した多数の斜めの切目から成る切目列を複数列設けてなる弱め線を形成したことを特徴とする再封可能な包装体。
【請求項２】
前記弱め線が、凸側テープ及び凹側テープより上側においてこれら両テープの上側縁部に沿って断続状に形成され、前記構成材料を貫通しない深さを有する１列もしくは複数列の、各列の切目が二次元の広がりを持ちかつ引き裂きによる切取り開封時に一つの切目端から切取り方向の逸れを次の切目でテープ上側縁部に沿うように補正できる方向性を持っており、この方向性により切取り予定部に誘導されることを特徴とする請求項１に記載の再封可能な包装体。
【発明の詳細な説明】
【０００１】
【発明の属する技術分野】
本発明は、開口部の互いに対向する内側面に設けられた凸側テープの凸条と凹側テープの凹条とを嵌め合わせ両テープを咬合させて封止し、両テープの咬合を解いて開封する、再封可能な包装体に関する。
【０００２】
【従来の技術】
従来、四周を密封したプラスチック製の四方シール袋などの周囲の一部を切り取って開封した後、その開口部を開封自在に封止する手段として、図５Ａに示すように、プラスチックファスナーが多用されている。
【０００３】
図５Ａに示される包装体１は、一対の構成材料１１，１２をその四周でシールして互いに固定し、その内部を内容物収納部１４とすると共にこの内容物収納部１４を密閉して構成され、その周囲の一部に、互いに対面する一対のシート状構成材料１１，１２の双方を切り取って包装体１を開口させる線状の切取り予定部１１１，１２１を有するもので、この切取り予定部１１１，１２１から両構成材料１１，１２を切取り、開口部１１２を形成して使用する。そして、その開口部１１２に沿って設けられた凸側テープ２１と凹側テープ３１とで構成されるファスナーにより再封及び開封を自在に可能としたものである。
【０００４】
すなわち、このプラスチックファスナーは、凸条を有する凸側テープ２１と、この凸条を嵌め込むことのできる凹条を有する凹側テープ３１とで構成されており、例えば図５Ｂに示すように、互いに対向する一対の構成材料１１，１２のうちの一方の内側に、開口部に沿って前記凸側テープ２１が設けられ、また、この凸側テープに対向する構成材料内側に前記凹側テープ３１が設けられて、両テープ２１，３１の凸条と凹条とが互いに咬合でき、また、この咬合を解いて開封できるように構成されている。
【０００５】
このプラスチックファスナーは、比較的簡単な再封手段であるが、袋を構成する構成材料１１，１２は、内容物又は袋構成材料１１，１２から浸出した成分の粘着作用や静電気などの原因に起因して、互いに密着していることがある。このような場合、互いに密着した両構成材料１１，１２を、その切取り端部から引き剥がすことは、極めて困難な場合がある。特に、幼年者や年配者など、その指先の機能が不十分な者にとっては、その引き剥がしが事実上不可能なことさえある。
【０００６】
また、こうして引き剥がした後、前記ファスナーの凸状と凹状とを互いに咬合させて再封した場合、その咬合を解いて再度開く場合にも、同様の問題が生じている。
【０００７】
【発明が解決しようとする課題】
本発明は、以上のような問題点に着目してなされたもので、仮に袋を構成するシート状構成材料が互いに密着している場合であっても、また、指先の機能が不十分であっても、容易に開くことのできる再封可能な包装体を提供することを目的とするものである。
【０００８】
【課題を解決するための手段】
すなわち、請求項１記載の発明は、凸条を有する凸側テープと、この凸側テープに対向する構成材料内側に前記凸条を嵌め込むことのできる凹条を有する凹側テープとで構成されるファスナーを具備し、かつ、前記凸側テープの上側縁部の位置と前記凹側テープの上側端部が異なる位置に設けられたシート状構成材料の周囲を互いに固定してその内部を内容物収納部とすると共に、この内容物収納部に内容物を密閉して構成された包装体であって、前記ファスナーより上部に、互いに対面する一対のシート状構成材料の双方を切り取って開口させる引き裂き開始位置を設けると共に、前記一対のシート状構成材料の一方の前記凸側テープの上側縁部の位置と、他方のシート状構成材料の前記凹側テープの上側端部の位置にそれぞれ切取り予定部を設け、かつ、前記引き裂き開始位置から前記凸側テープ及び凹側テープの上側端部に向かって方向性を持つように傾斜した多数の斜めの切目から成る切目列を複数列設けてなる弱め線を形成したことを特徴とする再封可能な包装体、をその要旨とするものである。
【０００９】
この発明によれば、一対のシート状構成材料の一方の切取り予定部の位置と、他方のシート状構成材料の切取り予定部の位置とが、互いに異なるため、この切取り予定部から切り取られた構成材料のうち、一方の構成材料の切取り端部が他の構成材料の切取り端部から突出している。このため、この突出部を指掛け部とすることができ、従って、両構成材料が互いに密着している場合でも、また、幼年者や年配者など指先の機能が不十分な者でも、上記突出部に指先を掛けて容易に開くことが可能となる。
【００１０】
また、この包装体を引き裂いた場合、一対のシート状構成材料の一方の前記凸側テープの上側端部の位置に設けられた弱め線と、他方のシート状構成材料の前記凹側テープの上側端部の位置に設けられた弱め線により、その引き裂き方向が切取り予定部に誘導されるものであるため、切取り予定部と異なる位置から引き裂きを開始した場合にも、確実に切取り予定部に誘導されてこの位置から切り取ることが可能となる。従って、上記突出部を確実に設けることができる。
【００１１】
また、この開口部において、両構成材料の間にファスナーが存在するから、両構成材料が互いに密着することはなく、従って、さらに容易に前記突出部に指を掛けることが可能である。
【００１２】
上記弱み線としては、例えば、上記切取り予定部に沿って設けられ、前記構成材料を貫通しない深さの直線状の切り込み溝やミシン目状の切り込み溝などが利用できる。引き裂き開始位置または引き裂き途中でこの切り込み溝にかかった場合、その後、引き裂き方向はこれら切り込み溝に誘導されて、確実に上記切取り予定部から切り取ることが可能となる。
【００１３】
なお、この弱め線としては、凸側テープ及び凹側テープより上側においてこれら両テープの上側縁部に沿って断続状に形成され、前記構成材料を貫通しない深さを有する１列もしくは複数列の切目列よりなり、各列の切目が二次元の広がりを持ちかつ引き裂きによる切取り開封時に一つの切目端から切取り方向の逸れを次の切目でテープ上側縁部に沿うように補正できる方向性を持っており、この方向性により切取り予定部に誘導するものであることが望ましい。この場合には、引き裂き開始位置の如何に拘わらず、その引き裂き方向を切取り予定部に誘導するからである。
【００１４】
請求項２記載の発明はこのような技術的理由により上記弱め線を特定したものである。
すなわち、請求項２記載の発明は、
前記弱め線が、凸側テープ及び凹側テープより上側においてこれら両テープの上側縁部に沿って断続状に形成され、前記構成材料を貫通しない深さを有する１列もしくは複数列の切目列よりなり、各列の切目が二次元の広がりを持ちかつ引き裂きによる切取り開封時に一つの切目端から切取り方向の逸れを次の切目でテープ上側縁部に沿うように補正できる方向性を持っており、この方向性により切取り予定部に誘導されることを特徴とする請求項１に記載の再封可能な包装体、をその要旨とするものである。
【００１５】
この請求項２記載の発明によれば、弱め線が、両テープの上側縁部に沿って断続状に形成された切目列よりなり、引き裂きによる切取り開封時に一つの切目端から切取り方向の逸れを次の切目でテープ上側縁部に沿うように補正できる方向性を持っているため、引き裂きにより開口する場合、その引き裂き方向の逸れが防止され、引き裂き方向を確実に誘導して、前記凸側テープと凹側テープの上側縁部に確実に沿って引き裂き開口することが可能となる。従って、確実に前記突出部を形成して、確実かつ容易に袋を開くことが可能となる。
【００１６】
なお、この請求項２記載の発明においては、前記切目列が、両テープの上側縁部に向かって方向性を持つように傾斜している場合、引き裂き開始位置が切取り予定部より少々離れた位置にあったとしても、これら切目の方向性によりその引き裂き方向が補正されて両テープの上側縁部に向かって引き裂かれると共に、両テープの上側縁部に突き当たってそれより下方への引き裂きが阻止される。そして、このため、両テープの上側縁部に沿って確実に引き裂き開口することが可能となる。
【００１８】
【作用】
請求項１に係る発明によれば、一対のシート状構成材料の一方の切取り予定部の位置と、他方のシート状構成材料の切取り予定部の位置とが、互いに異なるため、この切取り予定部から切り取られた構成材料のうち、一方の構成材料の切取り端部が他の構成材料の切取り端部から突出している。このため、この突出部を指掛け部とすることができ、従って、両構成材料が互いに密着している場合でも、また、幼年者や年配者など指先の機能が不十分な者でも、上記突出部に指先を掛けて容易に開くことが可能となる。
【００１９】
なお、この包装体を引き裂いた場合、前記両弱め線により、その引き裂き方向が切取り予定部に誘導されるため、切取り予定部と異なる位置から引き裂きを開始した場合にも、確実に切取り予定部に誘導されてこの位置から切り取られ、上記突出部を確実に設けることができる。
【００２０】
請求項２に係る発明によれば、弱め線が、両テープの上側縁部に沿って断続状に形成された切目列よりなり、引き裂きによる切取り開封時に一つの切目端から切取り方向の逸れを次の切目でテープ上側縁部に沿うように補正できる方向性を持っているため、引き裂きにより開口する場合、その引き裂き方向の逸れが防止され、前記凸側テープと凹側テープの上側縁部に確実に沿って引き裂き開口することが可能となる。従って、確実に前記突出部を形成して、確実かつ容易に袋を開くことが可能となる。
【００２１】
請求項３に係る発明によれば、前記切目列が、両テープの上側縁部に向かって方向性を持つように傾斜しているため、引き裂き開始位置が切取り予定部より少々離れた位置にあったとしても、これら切目の方向性によりその引き裂き方向が補正されて両テープの上側縁部に向かって引き裂かれると共に、両テープの上側縁部に突き当たってそれより下方への引き裂きが阻止される。そして、このため、両テープの上側縁部に沿って確実に引き裂き開口することが可能となる。
【００２２】
【発明の実施の形態】
以下、図面に基づいて発明の実施の形態を説明する。
【００２３】
〔第１の実施形態〕
図１は本発明の第１の実施形態に係る包装体を示しており、図１Ａはその正面図、図１Ｂは図１ＡのＸ−Ｘ線における断面図である。
【００２４】
この実施形態においては、包装体１は２枚のシートを構成材料１１，１２としてこれを互いに重ね合わせ、その四周でシールして固定部１３を形成することにより、その内部を内容物収納部１４とすると共にこの内容物収納部１４を密閉したもので、いわゆる四方シール袋である（なお、内容物の図示を省略してある）。この他、１枚のシートを折り曲げ線から折り曲げてこの折り曲げ線を挟む両壁を一対の構成材料とし、前記折り曲げ線を除く三方をシールして固定した袋、すなわち、いわゆる三方シール袋であってもよい。また、底部又は両側部に別のシートを構成材料として適用し、袋に膨らみを持たせたものであってもよい。底部に別の構成材料を適用して膨らみを持たせたものは、その袋の自立性が改善されることから、自立袋あるいはスタンディングパウチと呼ばれることがある。底部及び両側部に別のシートを構成材料として適用した袋は自立袋又はガゼット袋と呼ばれることがある。
【００２５】
この包装袋の構成材料１１，１２としては、紙、ポリエチレンフィルムやポリプロピレンフィルムなどのプラスチックフィルム、アルミニウム箔などの金属箔などが使用できる。また、これらを適宜積層した積層体であってもよい。また、これらに印刷インキ、接着剤などを塗布したもの、あるいは蒸着又はスパッタリングなどの方法で薄膜を設けたものであってもよい。薄膜としては、アルミニウムなどの金属の他、酸化珪素、酸化マグネシウム、酸化アルミニウムなどのガスバリヤ性と透明性の高い薄膜が好適である。
【００２６】
いずれにしても、前記構成材料１１，１２としては、袋としての十分な柔軟性を有するのが望ましい。
【００２７】
なお、この実施形態においては、外側から、プラスチックフィルム、アルミニウム箔、紙、プラスチックフィルムをこの順に積層した構成材料１１，１２を使用した。
【００２８】
次に、内容物としては任意のものが利用できるが、一旦開封して内容物の一部を取り出した後、残部の内容物を保管する必要のあるものが好適に利用できる。例えば、菓子や海苔などの食品、パップ剤などである。特に揮発性成分を多量に含むパップ剤などにあっては、前記構成材料として、この揮発性成分を透過させることのないアルミニウム箔やガスバリヤ性の材料、揮発性成分を吸着することのないアクリロニトリルフィルム、あるいは、これらを層構成中に含む積層材料を利用することが望ましい。
【００２９】
次に、上記包装体１においては、シールされた四周のうち、一部に切取り予定部１１１，１２１が設けられている。この切取り予定部１１１，１２１は線状に設けられており、かつ、この切取り予定部１１１，１２１において互いに対向する一対の前記構成材料１１，１２の双方に設けられている。
【００３０】
そして、この切取り予定部１１１，１２１は、一対のシート状構成材料１１，１２の一方の前記凸側テープ２１の上側端部の位置と、他方のシート状構成材料１２の前記凹側テープ３１の上側端部の位置であって、前記位置とは異なる位置に設けられている。
【００３１】
すなわち、前記切取り予定部１１１，１２１は、前記一対の構成材料のうち、凸側テープ２１を備える構成材料１１の切取り予定部１１１の位置と、凹側テープ３１を備える構成材料１２の切取り予定部１２１の位置とが互いに異なっている。
【００３２】
すなわち、前記凸側テープ２１と凹側テープ３１とが互いに咬合された位置において、凸側テープ２１の下側側縁部（前記切取り予定部を構成しない方の側縁部）と、凹側テープ３１の下側側縁部（前記切取り予定部を構成しない方の側縁部）とは、同一位置にあり、他方、凸側テープ２１の上側側縁部（前記切取り予定部を構成する方の側縁部）と、凹側テープ３１の上側側縁部（前記切取り予定部を構成する方の側縁部）とは、互いに異なる位置にある。
【００３３】
この実施形態では、凸側テープ２１の幅を凹側テープ３１の幅より大きくし、かつ、両テープ２１，３１の下側側縁部を同一位置とすることにより、凸側テープ２１の上側側縁部を凹側テープ３１の側縁部より高い位置にしている。
【００３４】
次に、この包装体１のシート状構成材料１１，１２のうち、外側のプラスチックフィルムには、図２の一部破断要部説明図に示すように、複数列の切目列１５，１６から構成される弱め線が設けられており、それぞれの切目列１５，１６は断続状に形成された多数の切目１５１，１６１から構成されている。なお、図２において、シート状構成材料１１を一部破断して切目１５１と凸側テープ２１との位置関係を示すと共に、更に凸側テープ２１の一部を破断して切目１６１と凹側テープ３１との位置関係を示している。
【００３５】
この切目列１５，１６は、切取り予定部１１１，１２１とは異なる位置から手指による引き裂きを開始した場合、その引き裂き方向を補正して、切取り予定部１１１，１２１、すなわち、凸側テープ２１の上側端部と凹側テープ３１の上側端部に誘導するものである。
【００３６】
すなわち、凸側テープ２１と凹側テープ３１の上側端部を含めてその上方の位置に、それぞれ、複数列の切目列１５，１６を形成して弱め線とし、各列の切目１５１，１６１が二次元の広がりを持ち、かつ、引き裂き開口時に一つの切目端からの引き裂き方向が逸れても次の切目１５１，１６１が補正し、テープ２１，３１上側端部（切取り予定部）に沿うように誘導できる方向性を持っている。
【００３７】
この切目列１５，１６の場合は、引き裂き方向において前記両テープ２１，３１の上側端部に向かって方向性を持つように傾斜した多数の斜めの切目１５１，１６１から成るため、引き裂き開始位置が両テープ２１，３１の上側端部より少々離れた位置であって、引き裂き方向が矢印ａの方向であっても、待ち構えている前記各切目１５１，１６１の方向性により、両構成材料１１，１２ともに、引き裂き方向が両テープ２１，３１上側端部（切取り予定部）に向かうように補正・誘導され、強度の大きい両テープ２１，３１の上側端部に達すると、それより下方への引き裂きが阻止される。その結果、両テープ２１，３１の上側端部（切取り予定部）に沿って、段違いに確実に引き裂くことができる。
【００３８】
なお、この切目列１５，１６は１列であってもよいが、補正・誘導機能の点から、複数列とすることが好ましい。また、図示の１方向に傾斜した切目の他、引き裂き開口方向とは反対方向に逆ハの字状に対をなす切目を断続状に形成して切目列としたり、同様の補正・誘導機能を有する変形ミシン目形状の切目列を適用することが可能である。
【００３９】
そして、両テープ２１，３１の上側端部（引き裂き予定部）に沿って、段違いに確実に引き裂いて開口した場合、図３の断面図に示すように、その開封部において、凸側テープ２１を備えるシート状構成材料１１が、凹側テープ３１を備えるシート状構成材料１２の切取り端部から袋上方に突出している。そして、この突出部１１４に指を掛けて、容易に開くことができる。なお、この場合、両構成材料１１，１２の間にファスナーが存在するから、両構成材料１１，１２が互いに密着することはなく、従って、さらに容易に前記突出部１１４に指を掛けることが可能である。
【００４０】
なお、この突出部１１４は０．５〜２０ｍｍの幅を有することが望ましい。すなわち、０．５ｍｍ未満の場合には、指掛け部として不十分で、両構成材料１１，１２の引き剥がしが十分容易といえず、幼年者あるいは年配者に不便なことがある。他方、２０ｍｍを越える場合には、前記切取り予定部１１１，１２１から切り取ることが困難で、切取り予定部１１１，１２１とは異なる部位から切り取られることがある。好ましくは、１〜１５ｍｍ、より好ましくは２〜１０ｍｍである。
【００４１】
従って、凸側テープ２１を備えるシート状構成材料１１の切取り予定部の位置と、凹側テープ３１を備えるシート状構成材料１２の切取り予定部の位置の間の距離ｌは、０．５〜１０ｍｍの範囲にあることが望ましい。好ましくは、１〜７ｍｍ、より好ましくは２〜５ｍｍである。すなわち、凸側テープ２１の幅は、凹側テープ３１の幅より０．５〜１０ｍｍ、好ましくは、１〜７ｍｍ、より好ましくは２〜５ｍｍ大きいことが望ましい。
【００４２】
なお、この実施形態において、ファスナーを構成する凸側テープ２１及び凹側テープ３１は、切取り予定部１１１，１２１に沿って線状に配置されているが、シート状構成材料１１，１２の周囲固定部１３においては、これら凸側テープ２１及び凹側テープ３１を熱圧により潰して、この両テープ２１，３１の存在する固定部を含めて包装体全体を気密に構成している。
【００４３】
なお、こうして開いた包装体１は、内容物のうち所望量を取り出した後、その残部を包装体収納部１４に残したまま、前記凸側テープ２１の凸条２２と凹側テープ３１の凹条３２とを互いに咬合させて、再封させることができる。また、この咬合を解いて袋を開いたり、咬合させて再封させることを、自在に繰り返すことができる。また、上述のように、袋周辺の固定部１３において凸側テープ２１及び凹側テープ３１を熱圧により潰しているため、ファスナーを開いたときにもこの固定部１３は開かれず、このため、再度咬合させる際にも、両テープ２１，３１の位置合わせが容易となっている。
【００４４】
なお、ファスナーは、一般に、プラスチック材料の押出成形又は射出成形によって製造することが可能である。プラスチック材料としては、例えば、ポリエチレン、ポリプロピレンなどのポリオレフィン樹脂が適用できる。
【００４５】
〔第２の実施形態〕
次に、図４は本発明の第２の実施形態に係る包装体を示しており、図４Ａはその平面図、図４Ｂは図４Ａにおける断面図である。
【００４６】
この実施形態においては、ファスナーを構成する凹側テープ３１の幅を凸側テープ２１の幅より大きくし、かつ、両テープ２１，３１の下側側縁部を同一位置とすることにより、凹側テープ３１の上側側縁部を凸側テープ２１の側縁部より高い位置にしている。
【００４７】
この実施形態にあっても、凹側テープ３１を備えるシート状構成材料１２の切取り予定部１２１の位置は、凸側テープ２１を備えるシート状構成材料１１の切取り予定部１１１の位置より、０．５〜１０ｍｍ離れた位置に設けることが望ましい。好ましくは、１〜７ｍｍ、より好ましくは２〜５ｍｍである。すなわち、切取り予定部１１１の位置と切取り予定部１２１の位置との間の距離ｌは図１の場合と同様である。また、凹側テープの幅は、凸側テープの幅より０．５〜１０ｍｍ、好ましくは、１〜７ｍｍ、より好ましくは２〜５ｍｍ大きいことが望ましい。
その他は、第１の実施形態と同様である。
【００４８】
【発明の効果】
請求項１に係る発明によれば、包装体を切り取った場合、指を掛けることのできる突出部が形成され、この包装体の両構成材料が互いに密着している場合でも、また、幼年者や年配者など指先の機能が不十分な者でも、上記突出部に指先を掛けて容易に開くことが可能となる。
【００４９】
請求項２〜３に係る発明によれば、手指の引き裂きにより開口しても、前記切取り予定部に沿って確実に引き裂き開口することができ、前記突出部を形成して、確実かつ容易に袋を開くことが可能となる。
【図面の簡単な説明】
【図１】本発明の第１の実施形態を示し、図１Ａはその正面図、図１Ｂは図１ＡのＸ−Ｘ線における断面図である。
【図２】本発明の第１の実施形態を示し、その要部説明図である。
【図３】本発明の第１の実施形態を示し、切取り予定部から切り取った後の包装体の断面図である。
【図４】本発明の第２の実施形態を示し、図４Ａはその正面図、図４Ｂは図４ＡのＸ−Ｘ線における断面図である。
【図５】従来の包装体を示し、図５Ａはその正面図、図５Ｂは図５ＡのＸ−Ｘ線における断面図である。
【符号の説明】
１─包装体
１１，１２─シート状構成材料
１１１，１２１─切取り予定部
１１３─開口部
１１４─突出部
１３─固定部
１４─内容物収納部
１５，１６─切目列
１５１，１６１─切目
２１─凸側テープ
２２─凸条
３１─凹側テープ
３２─凹条
【図１】
0004307619.tif 000002
【図２】
0004307619.tif 000003
【図３】
0004307619.tif 000004
【図４】
0004307619.tif 000005
【図５】
0004307619.tif 000006